(57)【要約】      （修正有）【課題】  距離に応じて差等的に出力を制御し、アクセスポイントとクライアント間の距離測定方法を提供する。【解決手段】  無線通信データを伝送するアクセスポイントと、少なくとも１つのクライアントを含む無線通信システム上の通信方法であって、（ａ）アクセスポイントは別の伝送出力で多数のパケットを伝送するステップと、（ｂ）伝送したパケットのうち１つに対するクライアントの応答を受信するステップと、（ｃ）クライアントの応答に基づいて、クライアントが受信できる伝送出力でデータを伝送するステップとを含む。アクセスポイントとクライアント間の距離変化に応じて、伝送帯域幅を割り当てることにより、効率よく電波使用を図る。また、近距離にあるクライアントには広い伝送帯域幅を割り当てることによって高い伝送速度を保障し、近距離にあるクライアントには電波の伝送出力を低減することによりクライアントのエネルギー消費の効率性を図る。【選択図】      図４Ａ
2006222950.tif 000002
【特許請求の範囲】
【請求項１】
無線通信データを伝送するアクセスポイントと、少なくとも１つのクライアントを含む無線通信システム上の通信方法であって、
（ａ）前記アクセスポイントは別の伝送出力で多数のパケットを伝送するステップと、
（ｂ）前記伝送したパケットのうち１つに対する前記クライアントの応答を受信するステップと、
（ｃ）前記クライアントの応答に基づいて、前記クライアントが受信できる伝送出力でデータを伝送するステップとを含むことを特徴とする距離に応じて差等的に出力を制御する無線通信方法。
【請求項２】
前記（ａ）ステップにおいて、予め設定された出力単位別の伝送出力で前記パケットを順次伝送することを特徴とする請求項１に記載の距離に応じて差等的に出力を制御する無線通信方法。
【請求項３】
前記（ｃ）ステップにおいて、前記伝送された多数のパケットのうちクライアントが最初受信したパケットの出力情報から前記クライアントが受信できる伝送出力を決定することを特徴とする請求項１に記載の距離に応じて差等的に出力を制御する無線通信方法。
【請求項４】
前記（ｃ）ステップにおいて、前記クライアントに前記クライアントが受信できる伝送出力に応じて予め定められた帯域幅における作動に対する設定命令を更に指示することを特徴とする請求項１に記載の距離に応じて差等的に出力を制御する無線通信方法。
【請求項５】
前記（ｃ）ステップにおいて、前記クライアントが受信できる伝送出力による伝送帯域を定義した伝送帯域参照表に基づいて前記伝送出力に対応する伝送帯域幅を決定するステップを更に含むことを特徴とする請求項１に記載の距離に応じて差等的に出力を制御する無線通信方法。
【請求項６】
前記（ａ）ステップにおいて、前記伝送帯域幅の帯域に基づいて前記別の伝送出力を決定することを特徴とする請求項１に記載の距離に応じて差等的に出力を制御する無線通信方法。
【請求項７】
前記（ｃ）ステップにおいて、前記クライアントのメディアアクセスコントロール階層を介して前記クライアントの伝送帯域幅を制御するステップを更に含むことを特徴とする請求項１に記載の距離に応じて差等的に出力を制御する無線通信方法。
【請求項８】
前記（ｂ）ステップにおいて、多数のクライアントから多数の応答を受信することを特徴とし、前記（ｃ）ステップにおいて、前記クライアントの応答に応じて、全てのクライアントが受信できる伝送出力でデータを伝送することを特徴とする請求項１に記載の距離に応じて差等的に出力を制御する無線通信方法。
【請求項９】
前記（ａ）ステップにおいて、予め設定された出力単位別の伝送出力で前記パケットを順次伝送することを特徴とし、前記（ｂ）ステップにおいて、前記クライアントそれぞれの応答は前記多数のパケットのうち前記クライアントが最初に受信したパケットに対する応答であることを特徴とし、前記（ｃ）ステップにおいて、前記クライアントが最初に受信したパケットに対して前記クライアントが受信できる最大の伝送出力を伝送出力として決定することを特徴とする請求項８に記載の距離に応じて差等的に出力を制御する無線通信方法。
【請求項１０】
別の伝送出力で多数のパケットを伝送するアクセスポイントと、
前記伝送されたパケットのうち少なくとも１つを受信し、受信された前記パケットに対する応答を前記アクセスポイントに伝送するクライアントと、を含み、
前記クライアントの応答に基づいて、前記アクセスポイントは前記クライアントが受信できる伝送出力で前記クライアントにデータを伝送することを特徴とする距離に応じて差等的に出力を制御する無線通信システム。
【請求項１１】
前記クライアントは、予め設定された単位別の伝送出力で前記パケットを順次伝送することを特徴とする請求項１０に記載の距離に応じて差等的に出力を制御する無線通信システム。
【請求項１２】
前記伝送された多数のパケットのうち前記クライアントが最初に受信したパケットの出力情報から前記クライアントが受信できる伝送出力を決定することを特徴とする請求項１０に記載の距離に応じて差等的に出力を制御する無線通信システム。
【請求項１３】
前記アクセスポイントは、前記クライアントに前記クライアントが受電できる伝送出力に応じて予め定められた帯域幅における作動に対する設定命令を更に指示することを特徴とする請求項１０に記載の距離に応じて差等的に出力を制御する無線通信システム。
【請求項１４】
前記アクセスポイントは、前記クライアントが受信できる伝送出力による伝送帯域を定義した伝送帯域参照表に基づいて前記伝送出力に対応する伝送帯域幅を決定することを特徴とする請求項１０に記載の距離に応じて差等的に出力を制御する無線通信システム。
【請求項１５】
前記アクセスポイントは、前記伝送帯域幅に基づいて前記別の伝送出力を決定することを特徴とする請求項１０に記載の距離に応じて差等的に出力を制御する無線通信システム。
【請求項１６】
前記アクセスポイントは、前記クライアントのメディアアクセスコントロール階層を介して前記クライアントの伝送帯域幅を制御することを特徴とする請求項１０に記載の距離に応じて差等的に出力を制御する無線通信システム。
【請求項１７】
前記パケットに対する応答をそれぞれ伝送する多数のクライアントを更に含み、前記アクセスポイントは、前記クライアントそれぞれの応答に応じて、全てのクライアントが受信できる伝送出力で前記クライアントにデータを伝送することを特徴とする請求項１０に記載の距離に応じて差等的に出力を制御する無線通信システム。
【請求項１８】
前記アクセスポイントは、予め設定された出力単位別の伝送出力で前記パケットを順次伝送することを特徴とし、前記クライアントそれぞれの応答は前記多数のパケットのうち前記クライアントが最初に受信したパケットに対する応答であることを特徴とし、前記アクセスポイントは、前記クライアントが最初に受信したパケットに対して前記クライアントが受信できる最大の伝送出力を伝送出力として決定することを特徴とする請求項１７に記載の距離に応じて差等的に出力を制御する無線通信システム。
【請求項１９】
アクセスポイントから前記クライアントまで、他の出力単位別に多数のパケットを伝送するステップと、
前記多数のパケットのうち前記クライアントが最初に受信したパケットに対する応答を受信するステップと、
前記クライアントの応答に基づいて、前記アクセスポイントと前記クライアント間の距離を決定するステップとを含むことを特徴とする距離に応じて差等的に出力を制御する無線通信方法。
【請求項２０】
前記距離決定ステップは、前記クライアントが最初に受信したパケットの伝送出力に基づいて前記距離を算出することを特徴とする請求項１９に記載の距離に応じて差等的に出力を制御する無線通信方法。
【請求項２１】
無線伝送規格が定義した最大出力を伝送帯域幅の分割が求められる数だけ分割し各伝送出力量を決定するステップを更に含むことを特徴とする請求項２０に記載の距離に応じて差等的に出力を制御する無線通信方法。
【請求項２２】
前記一定の間隔は約５ｍＷであることを特徴とする請求項２１に記載の距離に応じて差等的に出力を制御する無線通信方法。
【発明の詳細な説明】
【技術分野】
【０００１】
本発明は、距離に応じて差等的に出力を制御する無線通信方法およびその無線通信システムに関する。
【背景技術】
【０００２】
本発明が属する無線通信システムは、１つのアクセスポイントと少なくとも１つ以上のクライアントを含む無線通信システムを意味する。なお、アクセスポイントは無線ランを構成する装置の１つであって、有線ランと無線ランとを接続させる装置である。アクセスポイントは大体独立型装置であって、イーサネット（登録商標）ハブやサーバに差し込んで使う。アクセスポイントはセルラーフォンシステムを使用する時と同様、ユーザの位置に応じて１つのアクセスポイントから他のアクセスポイントにハンドオフされることから、ユーザが移動しながら移動型無線装置を使用することができる。ユーザの端末やコンピュータは、アクセスポイントまでは専用線や電話回線を使って網に接続される。なお、アクセスポイントは時分割多重装置（ＴＤＭ）とデータ回線縦断装置（ＤＣＥ）などで構成される。通常、アクセスポイントが近く存在するほど回線の使用料金の負担はあまりかからないので、通信料金が低価となる。
【０００３】
表１は無線ネットワーク技術の相互比較および支援アプリケーションを示す表である。
【０００４】
表  １
【表１】
2006222950.tif 000003
無線通信技術としてＩＥＥＥ８０２．１１ａの場合、周波数帯域は５ＧＨｚであり、伝送速度は５４Ｍｂｐｓであり、伝送速度は数十ｍである。また、ＩＥＥＥ８０２．１１ｂの場合、周波数帯域は２．４ＧＨｚであり、伝送速度は１１Ｍｂｐｓであり、伝送距離は１００ｍ以上である。また、ＩＥＥＥ８０２．１１ｇの場合、周波数帯域は２．４ＧＨｚであり、伝送速度は５４Ｍｂｐｓであり、伝送距離は数十ｍとなる。
【０００５】
また、ブルツース（８０２．１５．１）の場合、周波数帯域は２．４ＧＨｚであり、伝送速度は１〜１０Ｍｂｐｓであり、伝送距離は１０ｍ程度である。さらに、ＵＷＢ（８０２．１５．３ａ）の場合、周波数帯域は５．１〜１０．６ＧＨｚであり、伝送速度は１００〜５００Ｍｂｐｓであり、伝送距離は２０ｍ程度である。Ｚｉｇｂｅｅ（８０２．１５．４）の場合、周波数帯域は２．４ＧＨｚであり、伝送速度は２０〜２５０Ｍｂｐｓであり、伝送距離は１０〜１００ｍ程度である。
【０００６】
図１Ａは従来の無線通信システムであって、アクセスポイントとクライアントとの間の信号伝送を示す概略図である。同図に示した無線通信システムは、アクセスポイント１００とクライアント１３０を含む。アクセスポイント１００はクライアント１３０に一定の出力と帯域幅を持って信号を伝送する。
【０００７】
図１Ｂは従来の無線通信システムであって、アクセスポイントとクライアントとの間の出力および伝送チャネル特性を示す図面である。同図に示したように、無線通信システム上で移動性のあるクライアント１３０の移動により、アクセスポイント１００とクライアント１３０間の距離に変動が生じた場合にも、アクセスポイント１００とクライアント１３０は常に同一な出力１６０および同一な伝送帯域幅１９０で通信を行う。即ち、クライアント１３０とアクセスポイント１００との間の距離変化が通信状況に反映されないまま、常に一定サイズの出力１６０が使用されるのである。もし、アクセスポイント１００とクライアント１３０間の距離が縮んだ場合であっても、相変わらず同一サイズが出力され、それによってクライアント１３０のエネルギー使用面において非効率性を招くと共に、電波使用面においても非効率的である。
【発明の開示】
【発明が解決しようとする課題】
【０００８】
本発明は前述した問題点を解決するために案出されたもので、本発明の目的は、距離に応じて差等的に出力を制御する無線通信方法、その無線通信システム、およびアクセスポイントとクライアント間の距離測定方法を提供することにある。
【課題を解決するための手段】
【０００９】
前述した目的を達成するために本発明に係る距離に応じて差等的に出力を制御する無線通信方法は、無線通信データを伝送するアクセスポイントと、少なくとも１つのクライアントを含む無線通信システム上の通信方法であって、（ａ）前記アクセスポイントは別の伝送出力で多数のパケットを伝送するステップと、（ｂ）前記伝送したパケットのうち１つに対する前記クライアントの応答を受信するステップと、（ｃ）前記クライアントの応答に基づいて、前記クライアントが受信できる伝送出力でデータを伝送するステップとを含む。
【００１０】
好ましくは、前記（ａ）ステップにおいて、予め設定された出力単位別の伝送出力で前記パケットを順次伝送する。また、前記（ｃ）ステップにおいて、前記伝送された多数のパケットのうちクライアントが最初受信したパケットの出力情報から前記クライアントが受信できる伝送出力を決定することを特徴とする。また、前記（ｃ）ステップにおいて、前記クライアントに前記クライアントが受信できる伝送出力に応じて予め定められた帯域幅における作動に対する設定命令を更に指示することを特徴とする。また、前記（ｃ）ステップにおいて、前記クライアントが受信できる伝送出力による伝送帯域を定義した伝送帯域参照表に基づいて前記伝送出力に対応する伝送帯域幅を決定するステップを更に含む。
【００１１】
前述した前記（ａ）ステップにおいて、前記伝送帯域幅の帯域に基づいて前記別の伝送出力を決定することを特徴とする。また、前記（ｃ）ステップにおいて、前記クライアントのメディアアクセスコントロール（ＭＡＣ）階層を介して前記クライアントの伝送帯域幅を制御するステップを更に含む。
【００１２】
前述した前記（ｂ）ステップにおいて、多数のクライアントから多数の応答を受信することを特徴とし、前記（ｃ）ステップにおいて、前記クライアントの応答に応じて、全てのクライアントが受信できる伝送出力でデータを伝送することを特徴とする。
【００１３】
前述した前記（ａ）ステップにおいて、予め設定された出力単位別の伝送出力で前記パケットを順次伝送することを特徴とし、前記（ｂ）ステップにおいて、前記クライアントそれぞれの応答は前記多数のパケットのうち前記クライアントが最初に受信したパケットに対する応答であることを特徴とし、前記（ｃ）ステップにおいて、前記クライアントが最初に受信したパケットに対して前記クライアントが受信できる最大の伝送出力を伝送出力として決定することを特徴とする。
【００１４】
前述した目的を達成するために距離に応じて差等的に出力を制御する無線通信システムは、別の伝送出力で多数のパケットを伝送するアクセスポイントと、前記伝送されたパケットのうち少なくとも１つを受信し、受信された前記パケットに対する応答を前記アクセスポイントに伝送するクライアントと、を含み、前記クライアントの応答に基づいて、前記アクセスポイントは前記クライアントが受信できる伝送出力で前記クライアントにデータを伝送することを特徴とする。好ましくは、前記クライアントは、予め設定された単位別の伝送出力で前記パケットを順次伝送することを特徴とする。
【００１５】
また、好ましくは、前記伝送された多数のパケットのうち前記クライアントが最初に受信したパケットの出力情報から前記クライアントが受信できる伝送出力を決定することを特徴とする。
【００１６】
また、好ましくは、前記アクセスポイントは、前記クライアントに前記クライアントが受電できる伝送出力に応じて予め定められた帯域幅における作動に対する設定命令を更に指示することを特徴とする。さらに、前記アクセスポイントは、前記クライアントが受信できる伝送出力による伝送帯域を定義した伝送帯域参照表に基づいて前記伝送出力に対応する伝送帯域幅を決定することを特徴とする。また、前記アクセスポイントは、前記伝送帯域幅に基づいて前記別の伝送出力を決定することを特徴とし、前記クライアントのメディアアクセスコントロール階層を介して前記クライアントの伝送帯域幅を制御することを特徴とする。
【００１７】
また、好ましくは、前記パケットに対する応答をそれぞれ伝送する多数のクライアントを更に含み、前記アクセスポイントは、前記クライアントそれぞれの応答に応じて、全てのクライアントが受信できる伝送出力で前記クライアントにデータを伝送することを特徴とする。
【００１８】
また、好ましくは、前記アクセスポイントは、予め設定された出力単位別の伝送出力で前記パケットを順次伝送することを特徴とし、前記クライアントそれぞれの応答は前記多数のパケットのうち前記クライアントが最初に受信したパケットに対する応答であることを特徴とし、前記アクセスポイントは、前記クライアントが最初に受信したパケットに対して前記クライアントが受信できる最大の伝送出力を伝送出力として決定することを特徴とする。
【００１９】
前述した目的を達成するための本発明に係る距離に応じて差等的に出力を制御する無線通信方法は、アクセスポイントから前記クライアントまで、他の出力単位別に多数のパケットを伝送するステップと、前記多数のパケットのうち前記クライアントが最初に受信したパケットに対する応答を受信するステップと、前記クライアントの応答に基づいて、前記アクセスポイントと前記クライアント間の距離を決定するステップとを含む。
【００２０】
好ましくは、前記距離決定ステップは、前記クライアントが最初に受信したパケットの伝送出力に基づいて前記距離を算出することを特徴とする。
【００２１】
また、好ましくは、無線伝送規格が定義した最大出力を伝送帯域幅の分割が求められる数だけ分割し各伝送出力量を決定するステップを更に含む。
【００２２】
それと共に、本発明に係る近距離にあるクライアントには電波の伝送出力を減らすことによりクライアントのエネルギー消費の効率性を図ることができる。
【発明の効果】
【００２３】
本発明によると、アクセスポイントとクライアント間の距離変化に応じて、伝送帯域幅を割り当てることにより、効率よく電波使用を図ることができる。また、近距離にあるクライアントには広い伝送帯域幅を割り当てることによって高い伝送速度を保障することができる。
【００２４】
それと共に、本発明によると、近距離にあるクライアントには電波の伝送出力を低減することによりクライアントのエネルギー消費の効率性を図ることができる。
【発明を実施するための最良の形態】
【００２５】
以下、添付の図面に基づいて本発明の好適な実施形態を詳述する。
【実施例】
【００２６】
図２Ａは本発明に係る距離に応じて差等的に出力を制御する無線通信システムの概略図である。同図に示した無線通信システムはアクセスポイント１００とクライアント１３０を含む。
【００２７】
図２Ｂは本発明に係る距離に応じて差等的に出力を制御する無線通信システムの出力および伝送チャネル特性を示している。図２Ａおよび図２Ｂに基づき本発明について概略的に説明すると、クライアント１３０が第１位置２００から第２位置２３０に移動することによって、出力は第１値２４０から第２値２５０に変更され、その伝送帯域幅は第１帯域幅２６０から第２帯域幅２７０に変更される。図２にて示すクライアント１３０の位置移動によるアクセスポイント１００の出力調整および伝送帯域幅調整を可能にするためには、アクセスポイント１００とクライアント１３０間の距離測定を前提にすべきである。
【００２８】
図３は本発明に係るアクセスポイントとクライアント間の距離測定方法の概念を示す図面である。同図を介してアクセスポイント１００とクライアント１３０間の距離測定方法について詳説する。まず、アクセスポイント１００は、各伝送出力リスト４００を設定する。前述した伝送出力リスト４００は無線伝送規格が定義した最大出力を伝送帯域幅の分割が求められる数だけ分けた方法に基づいて構成される。その次に、アクセスポイント１００は各伝送出力量に該当するパケット４３０を生成してから、各パケットが該当出力量を通じて伝送される。
【００２９】
例えば、パケットを５ｍＷ間隔の出力量で伝送したとすれば、アクセスポイント１００は、５ｍＷ、１０ｍＷ、１５ｍＷｍ、２０ｍＷ，および２５ｍＷの出力量で各伝送出力量に当たるパケットを伝送する。ここで、伝送出力が増加するにつれ、パケットが到達する距離も増加する。その結果、一定の距離だけ離れたクライアント１３０が出力単位別に伝送されるパケットのうち、自分に最初到達したパケット４６０を受信すると、それに対する応答メッセージをアクセスポイント１００に回信する。
【００３０】
ここで、１ｍＷの出力で伝送されるパケットが到達できる距離を４ｍとし、アクセスポイント１００に回信された応答メッセージが２０ｍＷで伝送されたパケットであれば、アクセスポイント１００とクライアント１３０間の距離は略６０ｍ〜８０ｍであることが分かる。
【００３１】
図４Ａは本発明に係る無線通信方法のうちパケット伝送ステップを示すフローチャートであり、図４Ｂは本発明に係る無線通信方法のうち出力および伝送帯域幅の調整ステップを示すフローチャートである。図４Ａおよび図４Ｂを介して本発明に係る距離に応じて差等的に出力を制御する無線通信方法の作動原理について詳説する。
【００３２】
まず、本発明上の無線通信システムの無線通信環境における初期設定が完了されれば（Ｓ４００）、アクセスポイント１００は距離測定用パケットを生成する（Ｓ４０５）。
【００３３】
それから、アクセスポイント１００は駆動増幅器の出力を設定した後（Ｓ４１０）、出力単位別にパケットを伝送する。アクセスポイント１００は、設定した全ての出力単位別にパケットを伝送したか否かを確認し（Ｓ４１５）、伝送されない出力単位があれば、再度距離測定用パケットを生成する（Ｓ４０５）。もし、全ての出力単位別でパケットが伝送されれば、アクセスポイント１００の送信端は待機モードに入る（Ｓ４２０）。それから、予め設定された一定時間の経過後、アクセスポイント１００は再度距離測定用パケットを生成し（Ｓ４０５）、前述したステップを繰り返す。
【００３４】
これを介して予め設定された一定の時間間隔によるアクセスポイント１００とクライアント１３０間の距離を測定することが可能になる。一方、アクセスポイント１００の受信端はクライアント１３０からの応答を待機する（Ｓ４２５）。それからアクセスポイント１００は、前述した出力単位別に伝送したパケットに対する応答パケットの受信有無を確認し（Ｓ４３０）、受信されたパケットがないと判断されれば、アクセスポイント１００の受信端はクライアント１３０からの応答待機状態を持続する（Ｓ４２５）。
【００３５】
クライアント１３０からの応答パケットが受信されたと認定されれば、アクセスポイント１００は応答パケットからの現位置のクライアント１３０が受信できる出力量を確認したあと、その値に応じて駆動増幅器を設定する（Ｓ４４０）。それからアクセスポイント１００は、以下で説明する伝送帯域参照表に基づいて前述した出力量に対する伝送帯域幅を確認する（Ｓ４５０）。アクセスポイント１００は伝送帯域幅を確認してから、クライアント１３０に前述した伝送帯域幅の設定を指示する（Ｓ４６０）。また、アクセスポイント１００は、発振器の分類器を介して、前述した伝送帯域幅の周波数が生成できるよう設定した後（Ｓ４７０）、該当の伝送帯域幅に合うようＭＡＣを制御する（Ｓ４８０）。それからアクセスポイント１００は、前述した伝送帯域幅の周波数を用いてクライアント１３０にデータ伝送を開始する。
【００３６】
図５Ａと図５ＢはＩＥＥＥ８０２．１１ｂの場合の伝送帯域参照表を例示した図面である。同図の横軸は伝送チャネルによる周波数を示し、縦軸は伝送出力を示す。前述したクライアント１３０からの応答パケットを介して伝送出力量が決定されれば、アクセスポイント１００は図５Ａおよび図５Ｂに例示した伝送帯域参照表のような、予め設定された伝送帯域参照表を通じて伝送帯域幅を決定する。
【００３７】
図６Ａは単一クライアントの環境下における本発明の実施形態に係る図面である。同図において、アクセスポイント１００から一定距離にクライアント１３０が位置している。まず、アクセスポイント１００は待機状態６００でいてから、その以降、距離測定区間６１０に入ると、アクセスポイント１００は６ｍＷ、１２ｍＷ、２５ｍＷ、５０ｍＷ、および１００ｍＷなどの他の伝送出力でそれぞれに当たるパケット６２０を伝送する。
【００３８】
クライアント１３０は２５ｍＷの伝送出力で伝送されたパケット６３０に対して最初に応答し、それにアクセスポイント１００はクライアント１３０に２５ｍＷに当たる伝送帯域幅の設定を指示するパケット６４０を伝送する。それから、アクセスポイント１００はクライアント１３０に２５ｍＷに当たる伝送帯域幅でデータ６５０を伝送する。
【００３９】
図６Ｂはマルチクライアントの環境下における本発明の実施形態に係る図面である。同図に示すように、アクセスポイント１００から一定距離に第１クライアント６５５が位置しており、また一定距離に第２クライアント６６０が位置している。ここで、新たな第３クライアント６６５が一定距離に位置する場合を示している。初期にアクセスポイント１００は、伝送帯域幅を２５ｍＷとして設定しデータを伝送している。それから予め設定された時間が経過すればアクセスポイント１００はクライアント６５５，６６０，６６５の位置を測定するために距離測定区間６７５上に設定された６ｍＷ、１２ｍＷ、２５ｍＷ、５０ｍＷ、１００ｍＷの伝送出力６７５でそれぞれに当たるパケットを伝送する。
【００４０】
それに第１クライアント６５５は１２ｍＷの伝送出力で伝送されたパケット６８０について最初に応答し、第２クライアント６６０は２５ｍＷの伝送出力で伝送されたパケット６８５について最初に応答し、第３クライアント６６５は１００ｍＷの伝送出力で伝送されたパケット６９０について最初に応答する。アクセスポイント１００は、無線システム内に全てのクライアント６５５，６６０、６６５と最適の通信を可能にする１００ｍＷの伝送出力に当たる伝送帯域幅の設定を第１，２，３クライアント６５５，６６０，６６５に指示６９５する。その後、アクセスポイント１００は、第１，２，３クライアント６５５，６６０，６６５に１００ｍＷの伝送出力に当たる伝送帯域幅でデータ６９７を伝送する。
【００４１】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００４２】
【図１Ａ】従来の無線通信システムであって、アクセスポイントとクライアントとの間の信号伝送を示す概略図である。
【図１Ｂ】従来の無線通信システムであって、アクセスポイントとクライアントとの間の出力および伝送チャネル特性を示す図である。
【図２Ａ】本発明に係る距離に応じて差等的に出力を制御する無線通信システムの概略図である。
【図２Ｂ】本発明に係る距離に応じて差等的に出力を制御する無線通信システムの出力および伝送チャネル特性を示す図である。
【図３】本発明に係るアクセスポイントとクライアントとの間の距離測定方法の概念を示す図である。
【図４Ａ】本発明に係る無線通信方法のうちパケット伝送ステップを示すフローチャートである。
【図４Ｂ】本発明に係る無線通信方法のうち出力および伝送帯域幅の調整ステップを示すフローチャートである。
【図５Ａ】ＩＥＥＥ８０２．１１ｂの場合の伝送帯域参照表を例示した図である。
【図５Ｂ】ＩＥＥＥ８０２．１１ｂの場合の伝送帯域参照表を例示した図である。
【図６Ａ】単一クライアントの環境下における本発明の実施の形態を示す図である。
【図６Ｂ】マルチクライアントの環境下における本発明の実施の形態を示す図面である。
【符号の説明】
【００４３】
１００      アクセスポイント
１３０      クライアント
１６０      出力
１９０      伝送帯域幅
２００      第１位置
２３０      第２位置
２４０      第１値
２５０      第２値
２６０      第１帯域幅
２７０      第２帯域幅
４００      伝送出力リスト
４３０、４６０  パケット
６１０      距離測定区間
６２０、６３０、６４０  パケット
６５０      データ
６６０      第２クライアント
６６５      第３クライアント
６７５      距離測定区間
６８０、６８５、６９０  パケット
６９５      指示
６９７      データ
【図１Ａ】
2006222950.tif 000004
【図１Ｂ】
2006222950.tif 000005
【図２Ａ】
2006222950.tif 000006
【図２Ｂ】
2006222950.tif 000007
【図３】
2006222950.tif 000008
【図４Ａ】
2006222950.tif 000009
【図４Ｂ】
2006222950.tif 000010
【図５Ａ】
2006222950.tif 000011
【図５Ｂ】
2006222950.tif 000012
【図６Ａ】
2006222950.tif 000013
【図６Ｂ】
2006222950.tif 000014